(57)【要約】【課題】  木造建築物の耐震性を良好に維持しつつ、柱と梁とを容易且つ安価に接続することができる柱および梁の接続構造を提供する。【解決手段】  木製の柱１０の側面に形成されたほぞ穴１４，１５に、梁２０，３０の端面から突出するほぞ２１，３１を差し込んで、柱１０および梁２０，３０を接続する構造１であって、柱１０は、断面矩形状の基部１１と、基部１１の側方に張り出すように設けられてそれぞれ梁２０，３０の端面が当接する複数のリブ部１２，１３とを備え、リブ部１２，１３は、対応する梁２０，３０と同じ幅を有しており、ほぞ穴１４，１５は、リブ部１２，１３に形成されている。【選択図】  図２
2018012975.tif 000002
【特許請求の範囲】
【請求項１】
木製の柱の側面に形成されたほぞ穴に、梁の端面から突出するほぞを差し込んで、前記柱および梁を接続する構造であって、
前記柱は、断面矩形状の基部と、前記基部の側方に張り出すように設けられてそれぞれ前記梁の端面が当接する複数のリブ部とを備え、
前記リブ部は、対応する前記梁と同じ幅を有しており、
前記ほぞ穴は、前記リブ部に形成されている柱および梁の接続構造。
【請求項２】
前記柱は、幅が異なる複数の集成材を一方向に積層することにより、前記基部およびリブ部が一体的に形成されている請求項１に記載の柱および梁の接続構造。
【請求項３】
前記各リブ部は、いずれも前記ほぞ穴の深さ方向に複数の集成材を積層して形成されている請求項１に記載の柱および梁の接続構造。
【発明の詳細な説明】
【技術分野】
【０００１】
本発明は、柱および梁の接続構造に関し、より詳しくは、木造建築物における柱および梁の接続構造に関する。
【背景技術】
【０００２】
木造建築において通し柱に梁を接続する際には、梁の端面から突出するほぞを、断面矩形状の柱の側面に形成されたほぞ穴に差し込んで締結することが、従来から行われている（例えば、特許文献１）。
【０００３】
ところが、上述した柱および梁の接続構造は、ほぞ穴の形成によって柱の断面欠損が大きくなるため、大きな揺れによりこの欠損部で柱が折れて、建築物が倒壊するおそれがあった。このため、柱にほぞ穴を形成する代わりに専用金物を用いる金物工法が種々検討されているが、製造コストや作業コストの増大を招くという問題があった。
【先行技術文献】
【特許文献】
【０００４】
【特許文献１】特開平８−１０５１４３号公報
【発明の概要】
【発明が解決しようとする課題】
【０００５】
そこで、本発明は、木造建築物の耐震性を良好に維持しつつ、柱と梁とを容易且つ安価に接続することができる柱および梁の接続構造の提供を目的とする。
【課題を解決するための手段】
【０００６】
本発明の前記目的は、木製の柱の側面に形成されたほぞ穴に、梁の端面から突出するほぞを差し込んで、前記柱および梁を接続する構造であって、前記柱は、断面矩形状の基部と、前記基部の側方に張り出すように設けられてそれぞれ前記梁の端面が当接する複数のリブ部とを備え、前記リブ部は、対応する前記梁と同じ幅を有しており、前記ほぞ穴は、前記リブ部に形成されている柱および梁の接続構造により達成される。
【０００７】
この柱および梁の接続構造において、前記柱は、幅が異なる複数の集成材を一方向に積層することにより、前記基部およびリブ部が一体的に形成されていることが好ましい。あるいは、前記各リブ部は、いずれも前記ほぞ穴の深さ方向に複数の集成材を積層して形成されていることが好ましい。
【発明の効果】
【０００８】
本発明によれば、木造建築物の耐震性を良好に維持しつつ、柱と梁とを容易且つ安価に接続することができる柱および梁の接続構造を提供することができる。
【図面の簡単な説明】
【０００９】
【図１】本発明の一実施形態に係る柱および梁の接続構造の要部斜視図である。
【図２】図１に示す柱および梁の接続構造の要部を分解して示す断面図である。
【図３】図２に示す柱の変形例を示す断面図である。
【図４】本発明の他の実施形態に係る柱および梁の接続構造の要部断面図である。
【図５】本発明の更に他の実施形態に係る柱および梁の接続構造の要部断面図である。
【図６】図４に示す柱の変形例を示す断面図である。
【図７】図５に示す柱の変形例を示す断面図である。
【発明を実施するための形態】
【００１０】
以下、本発明の実施の形態について、添付図面を参照して説明する。図１は、本発明の一実施形態に係る柱および梁の接続構造の要部斜視図であり、図２は、図１に示す柱および梁を分解した状態で示す要部断面図である。図１および図２に示す柱および梁の接続構造１は、木造建築物の通し柱となる木製の柱１０の２つの側面に、２本の木製の梁２０，３０の端面をそれぞれ当接させて、２本の梁２０，３０が平面視でＬ字状となるように構成されている。
【００１１】
柱１０は、乾燥させた帯板状の建材である集成材１０ａ，１０ｂを複数積層して、接着剤で接着することにより構成されている。２種類の集成材１０ａ，１０ｂは、断面方向の幅Ｗ１，Ｗ２が互いに相違しており、これらを一方向に積層することにより、断面矩形状の基部１１と、２つのリブ部１２，１３とが形成されている。
【００１２】
リブ部１２，１３は、基部１１の側方に張り出すように設けられた断面矩形状の部分であり、基部１１の長手方向と平行に延びて、柱１０の任意の断面がＬ字状となるように構成されている。各リブ部１２，１３は、当接する梁２０，３０の幅と同じ幅を有しており、それぞれの両側面が梁２０，３０の両側面と面一になるように、梁２０，３０の端面が当接する。
【００１３】
梁２０，３０は、端面から突出するほぞ２１，３１がそれぞれ設けられている。ほぞ２１，３１は、金属製であってもよいが、木製の梁２０，３０の端部を切削加工する等して形成することが好ましい。梁２０，３０の中央には、長手方向に沿って締結用の挿通孔２２，３２が形成されている。
【００１４】
リブ部１２，１３には、ほぞ２１，３１が挿入されるほぞ穴１４，１５が、柱１０の異なる高さ位置にそれぞれ形成されている。ほぞ穴１４，１５の深さは、本実施形態においてはリブ部１２，１３の突出長さよりも浅く設定されている。ほぞ２１，３１およびほぞ穴１４，１５の形状は、本実施形態では段部を有する形状としているが、特に限定されるものではなく、公知の種々の形状とすることができる。
【００１５】
ほぞ穴１４，１５の底面には、柱１０の反対側の側面に開口する貫通孔１６，１７が形成されている。梁２０，３０は、柱１０の貫通孔１６，１７とそれぞれ位置合わせされた挿通孔２２，３２に引きボルト（図示せず）が挿入されることにより、柱１０に固定される。引きボルトを用いた柱と梁との締結方法は周知であるため、詳細な説明を省略する。
【００１６】
上記の構成を備える柱および梁の接続構造１は、柱１０のほぞ穴１４，１５がリブ部１２，１３に形成されるため、基部１１には梁２０，３０を締結するための貫通孔１６，１７を形成するだけでよいことから、基部１１の断面欠損を抑制しつつ、柱１０および梁２０，３０の接続を容易且つ安価に行うことができる。ほぞ穴１４，１５は、本実施形態のように基部１１にまで至らないように、リブ部１２，１３にのみ形成されていることが好ましい。
【００１７】
一例を挙げると、従来の１０５角の通し柱の２か所にほぞ穴を形成すると、断面欠損率が最大で約３８％になるのに対し、本実施形態の柱および梁の接続構造１によれば、基部１１を１０５角とした場合の断面欠損率を最大で約１８％に抑えることができ、柱の強度を確保して良好な耐震性を得ることができる。なお、基部１１から張り出すリブ部１２，１３の両側面は、接合された梁２０，３０の両側面と面一になることから、リブ部１２，１３を設けることによる建築物の内部空間の減少を防止することができる。
【００１８】
また、柱１０を、幅Ｗ１，Ｗ２が異なる複数の集成材１０ａ，１０ｂから構成することにより、柱１０の反り等が少なくなり、無垢材を使用する場合に比べて強度が向上するだけでなく、基部１１とリブ部１２，１３とが一体化された断面Ｌ字状の柱１０を容易に形成することができる。
【００１９】
以上、本発明の一実施形態について詳述したが、本発明の具体的な態様は上記実施形態に限定されない。例えば、本実施形態においては、幅が異なる複数の集成材１０ａ，１０ｂを一方向に積層することで柱１０を形成しているが、図３に示すように、ほぞ穴１４，１５の深さ方向に集成材１０ｃをそれぞれ積層して、各リブ部１２，１３を形成してもよい。この構成によれば、ほぞ穴１４，１５が形成される部分の集成材１０ｃの積層方向が、いずれも貫通孔１６，１７に挿入される引きボルト（図示せず）の軸方向に一致するため、柱１０に対する梁２０，３０の結合強度を高めることができ、建築物の耐震性をより向上させることができる。図３に示す構成においては、各リブ部１２，１３を形成する集成材１０ｃとして同じ幅のものを使用可能であるが、梁２０，３０の幅が互いに相違する場合には、それぞれ異なる幅の集成材を使用してもよい。
【００２０】
また、本実施形態においては、基部１１の側方に張り出す２つのリブ部１２，１３を断面Ｌ字状となるように設けているが、図４に示すように、基部１１１の側方に張り出す３つのリブ部１１２，１１３，１１４を断面Ｔ字状となるように設けて、３つの梁１２０，１３０，１４０と接続できるように柱１１０を形成してもよい。あるいは、図５に示すように、基部２１１の側方に張り出す４つのリブ部２１２，２１３，２１４，２１５を断面十字状となるように設けて、４つの梁２２０，２３０，２４０，２５０と接続できるように柱２１０を形成してもよい。このように、木造建築物における通し柱の位置に応じて、適宜の断面形状を有する柱を使用することができる。
【００２１】
図４に示す構成においては、各リブ部１１２，１１３，１１４に形成されたほぞ穴１１５，１１６，１１７が、いずれも基部１１１にまで至らないように深さ設定されていることが好ましい。図５に示す構成も同様に、各リブ部２１２，２１３，２１４，２１５に形成されたほぞ穴２１６，２１７，２１８，２１９が、いずれも基部２１１にまで至らないように深さ設定されていることが好ましい。
【００２２】
また、図４および図５に示す柱１１０，２１０は、幅が異なる集成材１１０ａ，１１０ｂ（あるいは、集成材２１０ａ，２１０ｂ）を一方向に積層して構成されているが、図６および図７に示すように、各ほぞ穴１１５，１１６，１１７（あるいは、各ほぞ穴２１６，２１７，２１８，２１９）の深さ方向に集成材１１０ｃ（あるいは、集成材２１０ｃ）を積層して、リブ部１１２，１１３，１１４（あるいは、リブ部２１２，２１３，２１４，２１５）を形成してもよい。
【符号の説明】
【００２３】
１  柱および梁の接続構造
１０  柱
１０ａ，１０ｂ  集成材
１１  基部
１２，１３  リブ部
１４，１５  ほぞ穴
２０，３０  梁
２１，３１  ほぞ
【図１】
2018012975.tif 000003
【図２】
2018012975.tif 000004
【図３】
2018012975.tif 000005
【図４】
2018012975.tif 000006
【図５】
2018012975.tif 000007
【図６】
2018012975.tif 000008
【図７】
2018012975.tif 000009